(57)【特許請求の範囲】
【請求項１】
端壁と、
前記端壁の両側の第１辺に連続している一対の第１側壁と、
前記第１辺と交差する方向に延びる前記端壁の両端の第２辺に沿って配置されている一対の第２側壁と、
前記端壁の両端の前記第２辺にそれぞれ連続しており、前記第２側壁の内面に非固着状態で配置されている一対の内フラップとを備え、
前記端壁と前記一対の内フラップには、前記一対の内フラップのうちの一方から他方にかけて破断線が設けられており、
前記破断線に沿って破断した状態では、前記端壁及び前記一対の内フラップが第１部分と第２部分にそれぞれ分割され、
前記第１部分と前記第２部分はそれぞれ、前記一対の第１側壁のうちのいずれかに連続し、連続した前記第１側壁に対して回転可能な前記端壁の分割部と、前記端壁の分割部に連続する前記一対の内フラップそれぞれの分割部とを備える、包装箱。
【請求項２】
前記端壁には、前記破断線側から一方の第１側壁側へ延び、前記第２辺に向けて傾斜した一対の第１補助線が設けられている、請求項１に記載の包装箱。
【請求項３】
前記端壁には、前記破断線の前記一方の第１側壁側に、前記破断線に沿って延びる第２補助線が設けられている、請求項１又は２に記載の包装箱。
【請求項４】
前記内フラップには、前記破断線から前記一方の第１側壁側へ延び、前記第２辺に向けて傾斜した第３補助線が設けられている、請求項１から３のいずれか１項に記載の包装箱。
【請求項５】
前記第２側壁は、前記第１側壁に連続している一対の外フラップを備え、これら外フラップの先端同士が粘着テープによって貼着されている、請求項１から４のいずれか１項に記載の包装箱。
【請求項６】
前記破断線は、前記粘着テープよりも他方の第１側壁側に位置している、請求項５に記載の包装箱。
【請求項７】
前記端壁の前記破断線上の中央には、前記破断線の破断始点である差込部が設けられている、請求項１から６のいずれか１項に記載の包装箱。
【請求項８】
前記内フラップにおける前記一方の第１側壁側には、前記破断線のうちの前記内フラップに形成された部分に沿って延びる第４補助線が設けられている、請求項１から７のいずれか１項に記載の包装箱。
【発明の詳細な説明】
【技術分野】
【０００１】
本発明は、包装箱に関する。
【背景技術】
【０００２】
対向配置されている一対の端壁と、これら端壁に隣接するように対向配置されている一対の側壁とを備え、これらで囲まれた両端の開口を蓋壁で塞いだ包装箱が知られている。特許文献１には、一対の側壁のうち一方に開閉可能な開口を設けることで、この開口から内部の物品を取り出し、また再封緘できるようにした包装箱が記載されている。
【先行技術文献】
【特許文献】
【０００３】
【特許文献１】特許５２９４１４０号公報
【発明の概要】
【発明が解決しようとする課題】
【０００４】
しかしながら、特許文献１の包装箱では、一方の側壁の一部しか開封できないため、内部の物品を取り出す際の作業性が悪い。また、第１側壁は、天面パネルと天面内側パネルからなる二重壁で構成され、蓋壁は、側面中間パネルと側面内側パネルと側面外側パネルとからなる三重壁で構成されている。そのため、包装箱の構成が複雑であるため、コスト高になる。
【０００５】
本発明は、収容した物品の取り出しが容易な包装箱を簡素な構成で形成することを課題とする。
【課題を解決するための手段】
【０００６】
本発明は、端壁と、前記端壁の両側の第１辺に連続している一対の第１側壁と、前記第１辺と交差する方向に延びる前記端壁の両端の第２辺に沿って配置されている一対の第２側壁と、前記端壁の両端の前記第２辺にそれぞれ連続しており、前記第２側壁の内面に非固着状態で配置されている一対の内フラップとを備え、前記端壁と前記一対の内フラップには、前記一対の内フラップのうちの一方から他方にかけて破断線が設けられており、前記破断線に沿って破断した状態では、前記端壁及び前記一対の内フラップが第１部分と第２部分にそれぞれ分割され、前記第１部分と前記第２部分はそれぞれ、前記一対の第１側壁のうちのいずれかに連続し、連続した前記第１側壁に対して回転可能な前記端壁の分割部と、前記端壁の分割部に連続する前記一対の内フラップそれぞれの分割部とを備える、包装箱を提供する。
【０００７】
この包装箱によれば、例えば端壁の破断線の中央部分を破断し、この端壁の破断縁を把持して外向きに引っ張ることで、端壁の残りの破断線部分と内フラップの破断線部分を破断することができる。よって、包装箱の開封時の作業性を向上できる。また、端壁と一対の内フラップとは、破断線に沿って破断されると、一方の第１側壁に連続する第１部分と、他方の第１側壁に連続する第２部分とに分割される。また、第１部分と第２部分とは、第１辺を中心として外向きに回転した第１の姿勢と、第１側壁及び第２側壁で囲まれた開口を塞いだ第２の姿勢とに回転可能である。
【０００８】
第１の姿勢では、第１側壁及び第２側壁で囲まれた開口全体を開封することができる。よって、広い開口面積を確保できるため、内部の物品を取り出す際の作業性を向上できる。また、第２の姿勢では、開口を塞いで包装箱を再封緘することができる。よって、包装箱内の全ての物品を取り出すことができない場合に、包装箱に収容したまま保管できるため、利便性を向上できる。しかも、包装箱は、端壁、一対の第１側壁、及び一対の第２側壁を備える簡素な構成であるため、製造コストを低減できる。
【０００９】
前記端壁には、前記破断線側から一方の第１側壁側へ延び、前記第２辺に向けて傾斜した一対の第１補助線が設けられてもよい。この態様によれば、端壁の第１部分側の破断縁を把持して外向きに引っ張ることで、端壁の第１部分側が第１補助線に沿って折れ曲がる。これにより、端壁の残りの破断線部分にせん断力が作用するため、第１補助線を設けていない場合と比較して、端壁の残りの破断線部分を容易に破断できる。よって、包装箱の開封時の作業性を向上できる。
【００１０】
前記端壁には、前記破断線の前記一方の第１側壁側に、前記破断線に沿って延びる第２補助線が設けられてもよい。この態様によれば、端壁の第１部分側の破断縁を把持して外向きに引っ張ることで、端壁の第１部分側が第２補助線に沿って折れ曲がる。これにより、第１補助線に沿った端壁の折れ曲がりを促進できるため、包装箱の開封作業性を更に向上できる。
【００１１】
前記内フラップにも、前記破断線から前記一方の第１側壁側へ延び、前記第２辺に向けて傾斜した第３補助線が設けられてもよい。また、前記内フラップにおける前記一方の第１側壁側には、前記破断線のうちの前記内フラップに形成された部分に沿って延びる第４補助線が設けられている、請求項１から７のいずれか１項に記載の包装箱。
前記第２辺に対して直交する方向に延びる第４補助線が設けられてもよい。この態様によれば、端壁の第１部分側を引っ張ることで連続して内フラップを破断線に沿って破断する際に、第１補助線に沿った端壁の折れ曲がりに引っ張られて、内フラップが第３補助線及び第４補助線に沿って折れ曲がる。これにより内フラップの破断線部分にせん断力が作用するため、第３補助線を設けていない場合と比較して、内フラップを破断線に沿って容易に破断できる。
【００１２】
前記第２側壁は、前記第１側壁に連続している一対の外フラップを備え、これら外フラップの先端同士が粘着テープによって貼着されてもよい。なお、粘着テープは、外フラップから端壁にかけて屈曲して貼着されている。この態様の包装箱は、JIS Z 1507-0201で規格された汎用の段ボール箱であるため、構成が簡素であり、組立作業性もよい。この場合、前記破断線は、前記粘着テープよりも他方の第１側壁側に位置していることが好ましい。この態様によれば、端壁の第１部分側を外向きに引っ張ることで、粘着テープを破断することができる。よって、包装箱の開封時の作業性を向上できる。
【００１３】
前記端壁の前記破断線上の中央には、前記破断線の破断始点である差込部が設けられてもよい。この態様によれば、端壁の中央を破断線に沿って破断する作業性を向上できる。また、作業者が開封作業の方法を直感的に理解できるため、利便性を向上できる。
【発明の効果】
【００１４】
本発明の包装箱では、端壁と一対の内フラップとは、破断線に沿って破断することで第１部分と第２部分に分割される。第１辺を中心として第１部分と第２部分を回転させると、第１側壁及び第２側壁で囲まれた開口全体を開封できる。よって、広い開口面積を確保できるため、内部の物品を取り出す際の作業性を向上できる。また、包装箱は、端壁、一対の第１側壁、及び一対の第２側壁を備える簡素な構成であるため、製造コストを低減できる。
【図面の簡単な説明】
【００１５】
【図１】本実施形態の包装箱を示す斜視図。
【図２】図１の開封状態を示す斜視図。
【図３Ａ】包装箱のブランクを示す平面図。
【図３Ｂ】図３Ａの一部拡大図。
【図４】封緘前の状態を示す斜視図。
【図５】開封時の第１工程を示す斜視図。
【図６】開封時の第２工程を示す平面図。
【図７Ａ】開封時の第３工程を示す平面図。
【図７Ｂ】図７Ａの下方斜視図。
【発明を実施するための形態】
【００１６】
以下、本発明の実施の形態を図面に従って説明する。なお、以下の説明では、必要に応じて特定の方向や位置を示す用語（例えば、「上」、「下」、「側」、「端」、「天」、「底」を含む用語）を用いるが、それらの用語の使用は図面を参照した発明の理解を容易にするためであって、それらの用語の意味によって本発明の技術的範囲が限定されるものではない。
【００１７】
図１及び図２は、本実施形態に係る包装箱１０を示す。図１を参照すると、包装箱１０は、端壁１２Ａ，１２Ｂ、第１側壁１３Ａ，１３Ｂ、及び第２側壁１６Ａ，１６Ｂを備えている。端壁１２Ａ，１２Ｂには、第２側壁１６Ａ，１６Ｂの内面に配置される内フラップ１７Ａ〜１８Ｂが連設されている。端壁１２Ａ，１２Ｂと内フラップ１７Ａ〜１８Ｂには、開封用の破断線２５と破断促進用の補助線４６〜４９とを備える開封構造が設けられている。この開封構造により包装箱１０は、図２に示すように、第１側壁１３Ａ，１３Ｂ、及び第２側壁１６Ａ，１６Ｂで囲まれた開口全体を開封できるようにしている。
【００１８】
（包装箱の全体構成）
包装箱１０は、紙製の段ボールシートを周知の紙器打抜装置であるフレキソグルアによって、図３Ａに示すように一枚のブランクとして形成される。段ボールシートは、表ライナと裏ライナの間に波状の中しんを配設した周知の構成である。なお、図３Ａ中破線は、肉厚を圧縮するように裏ライナの方から罫を入れて形成した汎用罫線である。また、ブランク中の実線は、表ライナから裏ライナにかけて刃を入れて形成した切断線である。
【００１９】
図３Ａを併せて図１を参照すると、包装箱１０は、対向配置されている一対の端壁１２Ａ，１２Ｂと、端壁１２Ａ，１２Ｂに隣接するように対向配置されている一対の第１側壁１３Ａ，１３Ｂとを備えている。端壁１２Ａ，１２ＢはＸＹ平面に平行な壁であり、Ｚ方向に所定間隔をあけて位置している。第１側壁１３Ａ，１３Ｂは、端壁１２Ａ，１２Ｂの左右両側縁に連続し、端壁１２Ａ，１２Ｂに対して概ね直交方向に折り曲げられている。図３Ａを参照すると、これらは左側から第１側壁１３Ａ、端壁１２Ａ、第１側壁１３Ｂ、及び端壁１２Ｂの順番で第１折曲線１５を介して連設されている。また、図３Ａにおいて左側端に位置する第１側壁１３Ａには、固着壁１４が第１折曲線１５を介して連設されている。この固着壁１４は、図３Ａにおいて右側端に位置する第２端壁１２Ｂに糊付けによって固着される。第１折曲線１５は、端壁１２Ａ，１２Ｂの左右両側に位置し、Ｙ方向に延びる第１辺である。
【００２０】
端壁１２Ａ，１２Ｂの上端縁には上側内フラップ１７Ａ，１７Ｂが連設され、端壁１２Ａ，１２Ｂの下端縁には下側内フラップ１８Ａ，１８Ｂが連設されている。これら内フラップ１７Ａ〜１８Ｂは、第２側壁１６Ａ，１６Ｂの内面に配置されている。内フラップ１７Ａ〜１８Ｂは、汎用罫線からなる第２折曲線１９を介して端壁１２Ａ，１２Ｂに連設されている。この第２折曲線１９は、端壁１２Ａ，１２Ｂの上下両端に位置し、第１折曲線１５に対して交差するように、Ｘ方向に延びる第２辺である。第２折曲線１９からフラップ先端までの内フラップ１７Ａ〜１８Ｂの突出寸法は、後述する外フラップ２０Ａ〜２１Ｂの突出寸法と同一である。
【００２１】
第２側壁１６Ａ，１６Ｂは、端壁１２Ａ，１２Ｂと第１側壁１３Ａ，１３Ｂにより囲まれた上下の開口を塞いでいる。これら第２側壁１６Ａ，１６ＢはＺＸ平面に平行な壁であり、Ｙ方向に間隔をあけて対向配置されている。また、第２側壁１６Ａ，１６Ｂは、第２折曲線１９に沿って内フラップ１７Ａ〜１８Ｂの外面に重畳配置されている。本実施形態の第２側壁１６Ａ，１６Ｂはそれぞれ、一対の外フラップ２０Ａ〜２１Ｂによって構成されている。
【００２２】
上側外フラップ２０Ａ，２０Ｂは第１側壁１３Ａ，１３Ｂの上端縁に連設され、下側外フラップ２１Ａ，２１Ｂは第１側壁１３Ａ，１３Ｂの下端縁に連設されている。これら外フラップ２０Ａ〜２１Ｂは、汎用罫線からなる第３折曲線２２を介して第１側壁１３Ａ，１３Ｂに連設されている。この第３折曲線２２は、第１側壁１３Ａ，１３Ｂの上下両端に位置し、第１折曲線１５に対して交差するように、Ｚ方向に延びる第３辺である。また、図３Ａのブランク状態では、第３折曲線２２と第２折曲線１９とは直線上に延びている。第３折曲線２２からフラップ先端までの外フラップ２０Ａ〜２１Ｂの突出寸法は、対向する第１側壁１３Ａ，１３Ｂ間の寸法の概ね半分である。これにより上側外フラップ２０Ａ，２０Ｂの先端同士は互いに隙間なく一致し、下側外フラップ２１Ａ，２１Ｂの先端同士も互いに隙間なく一致している。
【００２３】
この包装箱１０に物品を収容する場合には、端壁１２Ａ，１２Ｂに対して下側内フラップ１８Ａ，１８Ｂを折り曲げるとともに、第１側壁１３Ａ，１３Ｂに対して下側外フラップ２１Ａ，２１Ｂを折り曲げる。そして、下側外フラップ２１Ａ，２１Ｂの先端外面に粘着テープ５２を貼着することで、下側外フラップ２１Ａ，２１Ｂの先端同士を貼着する。図４に示すように、粘着テープ５２は、一方の端壁１２Ａから下側外フラップ２１Ａ，２１Ｂを経て、他方の端壁１２Ｂにかけて貼着される。
【００２４】
このようにして包装箱１０の一端の開口を閉塞すると、開放された他端の開口を上向きに配置し、物品５４を内部に収容する。この際、図４に示すように物品５４が薄くて細長い包装体（例えばアイスバー）の場合、物品５４を横向きに寝かせて積み重ねることにより、物品５４，５４間に隙間を生じさせることなく、整理して収容させることができる。
【００２５】
包装箱１０に物品５４を収容すると、端壁１２Ａ，１２Ｂに対して上側内フラップ１７Ａ，１７Ｂを折り曲げるとともに、第１側壁１３Ａ，１３Ｂに対して上側外フラップ２０Ａ，２０Ｂを折り曲げる。そして、上側外フラップ２０Ａ，２０Ｂの先端外面に粘着テープ５２を貼着することで、上側外フラップ２０Ａ，２０Ｂの先端同士を貼着する。また、粘着テープ５２は、一方の端壁１２Ａから上側外フラップ２０Ａ，２０Ｂを経て、他方の端壁１２Ｂにかけて貼着される。
【００２６】
開封構造が施されていない包装箱を開封する場合、粘着テープを剥離することで一方の第２側壁を開放させる。この際、カッターナイフを用いて粘着テープを切断するのは、内部の物品が損傷する可能性があるため好ましくない。また、物品を取り出す作業は、横向きに収容された物品同士間に隙間がないため面倒である。さらに、全ての物品を取り出さない場合には包装箱を再封緘する必要がある。この再封緘作業は、外フラップと内フラップによって行う必要があるため面倒である。そこで、本実施形態の包装箱１０には、端壁１２Ａ，１２Ｂの部分を開閉蓋のように手作業で開放可能とし、再封緘も容易に行えるようにしている。
【００２７】
（開封構造の詳細）
引き続いて図１及び図３Ａを参照すると、第１の端壁１２Ａと一対の内フラップ１７Ａ，１８Ａ、及び第２の端壁１２Ｂと一対の内フラップ１７Ｂ，１８Ｂには、破断線２５が設けられている。この破断線２５は、上側の内フラップ１７Ａ，１７Ｂの先端近傍から下側の内フラップ１８Ａ，１８Ｂの先端近傍にかけてＹ方向に延びている。
【００２８】
図３Ｂを併せて参照すると、端壁１２Ａ，１２Ｂに形成されている第１破断線部分２５ａは、端壁１２Ａ，１２ＢのＸ方向中央よりも第１側壁１３Ａ側に形成されている。これにより、第１破断線部分２５ａは、端壁１２Ａ，１２Ｂに貼着された粘着テープ５２と所定間隔をあけて位置する。この第１破断線部分２５ａは、端壁１２Ａ，１２Ｂに対してＹ方向に並べて配置されている複数の破断部２７を備えている。各破断部２７は、端壁１２Ａ，１２ＢのＹ方向の中央側が二又に分岐した概ねＹ字形状である。
【００２９】
第１破断線部分２５ａ上の中央には、破断線２５の破断始点となる差込部２８が設けられている。この差込部２８は、折曲線２９、一対の第１切断線３０，３０、及び第２切断線３１からなる切起構造である。折曲線２９は汎用罫線からなり、破断部２７列に対して第１側壁１３Ｂ側に所定間隔をあけて位置し、第１折曲線１５に沿ってＹ方向に延びている。第１切断線３０，３０は、折曲線２９の両端から、端壁１２Ａ，１２ＢのＹ方向の中央側の破断部２７端にかけてそれぞれ曲線状に延びている。第２切断線３１は、一方の第１切断線３０の端部から他方の第１切断線３０の端部にかけて、第１側壁１３Ａ側に突出する曲線状に形成されている。これら第１及び第２の切断線３０，３１の所定位置には、非切断状態の連続部が残されている。
【００３０】
内フラップ１７Ａ〜１８Ｂに形成されている第２破断線部分２５ｂは、第１破断線部分２５ａが第２折曲線１９に交差する部分から、内フラップ１７Ａ〜１８Ｂの先端中央に向けて、曲線状に形成されている。この第２破断線部分２５ｂは、端壁１２Ａ，１２Ｂ側に形成されている第１破断部３３と、内フラップ１７Ａ〜１８Ｂの先端側に形成されている第２破断部３６とからなる。
【００３１】
第１破断部３３は、所定間隔をあけてミシン目状に形成されている複数の第１切断線３４と、この第１切断線３４の端壁１２Ａ，１２Ｂ側端部から第１側壁１３Ｂ側へ傾斜している第２切断線３５とを備える片ジッパーからなる。第１破断線部分２５ａと第２折曲線１９の交点には、第２切断線３５ａの端部が位置している。この第２切断線３５ａに連続する第１切断線３４ａは、破断部２７よりも第１の第１側壁１３Ａ側に位置している。これら切断線３４ａ，３５ａにより、第２破断線部分２５ｂには、第１側壁１３Ａ側へ突出する係止突起３８が形成されている。
【００３２】
第２破断部３６は、第１破断部３３のフラップ先端側端部から、内フラップ１７Ａ〜１８Ｂの先端縁近傍にかけて曲線状に延びる切断線からなる。この第２破断部３６の所定位置には、連続部が残されている。この連続部は、内フラップ１７Ａ〜１８Ｂの先端にも形成されている。
【００３３】
図２に示すように、端壁１２Ａ，１２Ｂと内フラップ１７Ａ〜１８Ｂとは、破断線２５に沿って破断することで、一方の第１側壁１３Ｂに連続する第１部分４２と、他方の第１側壁１３Ａに連続する第２部分４３に分割される。第１破断線部分２５ａの形成位置により、第１部分４２の面積は第２部分４３の面積よりも広くなっている。また、差込部２８の切起片は、第１部分４２に連続している。さらに、係止突起３８は第１部分４２の破断縁から突出し、第２部分４３の係止突起３８と対応する位置には係止溝３９が形成されている。
【００３４】
端壁１２Ａ，１２Ｂには、第１破断線部分２５ａに沿った破断を促進するための補助線４６，４７が設けられている。詳しくは、端壁１２Ａ，１２Ｂには、折曲線２９に対して第１側壁１３Ｂ側に間隔をあけて位置する折曲線４５が設けられている。この折曲線４５は汎用罫線からなり、第１折曲線１５に沿って平行に延びている。第１補助線４６は汎用罫線からなり、第１破断線部分２５ａの第１側壁１３Ｂ側に一対設けられている。これら第１補助線４６，４６は、一端が折曲線４５の端部に位置し、他端が端壁１２Ａ，１２Ｂの第１側壁１３Ｂ側に位置し、第２折曲線１９に向けて傾斜している。第２補助線４７は、折曲線上に所定間隔をあけて切断線を設けたリード罫からなり、第１破断線部分２５ａに沿ってＹ方向に延びている。この第２補助線４７は、一端が一方の第２折曲線１９近傍に位置し、他端が他方の第２折曲線１９近傍に位置している。第１補助線４６の延長線と第２補助線４７の延長線とは、第２折曲線１９上で交差するように設けられている。
【００３５】
内フラップ１７Ａ〜１８Ｂには、第２破断線部分２５ｂに沿った破断を促進するための補助線４８，４９が設けられている。第３補助線４８は汎用罫線からなり、第１側壁１３Ｂ側に設けられている。この第３補助線４８は、一端が第１破断部３３と第２破断部３６の連続部分に位置し、他端が内フラップ１７Ａ〜１８Ｂの第１側壁１３Ｂ側に位置し、第２折曲線１９に向けて傾斜している。第４補助線４９はリード罫からなり、第２折曲線１９に対して直交するようにＺ方向に延びている。図３Ｂを参照すると、この第４補助線４９は、第２補助線４７に対して同一直線上に延びている。第４補助線４９は、一端が第２折曲線１９近傍に位置し、他端が内フラップ１７Ａ〜１８Ｂの先端縁に位置している。第３補助線４８の延長線と第４補助線４９の延長線とは、第２折曲線１９上で交差するように設けられている。また、第３及び第４の補助線４８，４９の交点と、第１及び第２の補助線４６，４７の交点とは、第２折曲線１９上で一致している。
【００３６】
この包装箱１０は、開封構造を除くとJIS Z 1507-0201で規格された汎用の段ボール箱である。よって、構成が簡素であり、包装箱１０の製造コストを低減できる。また、包装箱１０を組み立てる際には、前述した手順と同様に、端壁１２Ａ，１２Ｂ及び第１側壁１３Ａ，１３Ｂの下端が、下側フラップ１８Ａ，１８Ｂ，２１Ａ，２１Ｂからなる第２側壁１６Ｂによって閉塞される。その後、内部に物品５４を収容させた後、上端が上側フラップ１７Ａ，１７Ｂ，２０Ａ，２０Ｂからなる第２側壁１６Ａによって閉塞される。また、外フラップ２０Ａ〜２１Ｂは、先端同士が粘着テープ５２によって貼着される。このように、本実施形態の包装箱１０は組立作業性もよい。なお、この状態で内フラップ１７Ａ〜１８Ｂは、いずれの壁にも貼着及び係止されていない。
【００３７】
次に、包装箱１０の開封動作について説明する。以下の説明では、端壁１２Ａ側を開封する場合を例に挙げて説明するが、端壁１２Ｂ側を開封する場合も同様である。
【００３８】
例えば図５に示すように、端壁１２Ａを上方に位置させ、第１破断線部分２５ａの中央を破断する。この際、端壁１２Ａには差込部２８が設けられているため、作業者が開封作業の方法を直感的に理解できる。即ち、端壁１２Ａの差込部２８を内向きに押し込むことで、第１及び第２の切断線３０，３１に沿って端壁１２Ａが破断される。ついで、端壁１２Ａの第１部分４２側の破断縁を把持し、矢印Ａで示すように外向きに引っ張る。
【００３９】
すると、図６に示すように、端壁１２Ａの第１部分４２側は、第２補助線４７に沿って谷折れし、第１補助線４６に沿って山折れする。これにより、端壁１２Ａの第１部分４２と第２部分４３とは、第１破断線部分２５ａを境界としてＺ方向及びＸ方向に離れるように移動する。この移動により、第１破断線部分２５ａにはせん断力が作用するため、第１及び第２の補助線４６．４７を設けていない場合と比較して、端壁１２Ａを容易に破断できる。
【００４０】
ここで、第１補助線４６の折れ曲がり角度は、第１折曲線１５を支点とする場合と比較すると、第２補助線４７を支点として端壁１２Ａの第１部分４２側を引っ張った場合の方が大きい。これは、支点となる第２補助線４７が、第１折曲線１５よりも差込部２８に近いためである。このように、第２補助線４７を支点とすることで、第１補助線４６の折れ曲がりを促進させ、第１部分４２側の破断縁の移動量を大きくすることができる。よって、端壁１２Ａの第１破断線部分２５ａに大きなせん断力を作用させることができるため、残りの破断部２７を容易かつ確実に破断できる。
【００４１】
図７Ａに示すように、端壁１２Ａの第１部分４２側の操作を続けると、第１補助線４６の折れ曲がりにより、端壁１２Ａに連続する内フラップ１７Ａ，１８Ａが引っ張られてＹ方向内向き及びＺ方向上向きに移動する。この移動により、外フラップ２０Ａ〜２１Ｂから端壁１２Ａにかけて貼着した粘着テープ５２が破断される。また、第２破断線部分２５ｂにはせん断力が作用するため、内フラップ１７Ａ，１８Ａを容易に破断できる。
【００４２】
更に詳しく説明すると、図７Ｂに示すように、内フラップ１７Ａ，１８Ａが端壁１２Ａに引っ張られると、内フラップ１７Ａ，１８Ａが第３補助線４８及び第４補助線４９に沿って山折れする。これにより、内フラップ１７Ａ，１８Ａの第１部分４２側の破断縁の移動量を大きくすることができる。よって、内フラップ１７Ａ，１８Ａの第２破断線部分２５ｂに大きなせん断力を作用させることができるため、第１破断部３３を容易かつ確実に破断できる。そして、第１破断部３３全てが破断されると、引き続いて第２破断部３６が破断される。
【００４３】
このようにして分割された端壁１２Ａ及び内フラップ１７Ａ，１８Ａの第１部分４２と第２部分４３は、第１折曲線１５を中心として、開封位置である第１の姿勢と、封緘位置である第２の姿勢とに回転可能である。
【００４４】
例えば図２のように第１部分４２及び第２部分４３を外向きに１８０度回転させた第１の姿勢とする。分割されている第１部分４２と第２部分４３を第２の姿勢から第１の姿勢にする場合、曲線状の第２破断線部分２５ｂ、及び切断線３４，３５による凹凸形状の第１破断部３３により、例えば第１部分４２だけを回転操作することで、第２部分４３を連動させて外向きに回転させることができる。
【００４５】
また、第１の姿勢では、第１側壁１３Ａ，１３Ｂ及び第２側壁１６Ａ，１６Ｂで囲まれた開口全体を開封できる。これにより、広い開口面積を確保できるため、内部の物品５４を取り出す際の作業性を向上できる。また、物品５４が薄くて細長い包装体の場合、端壁１２Ａを開封した包装箱１０では、物品５４を縦向きに取り出すことになり、包装部分を掴むことができるため、取出作業性を向上できる。
【００４６】
全ての物品５４を取り出せなかった場合、第１部分４２と第２部分４３を第２の姿勢に回転させることで、第１側壁１３Ａ，１３Ｂ及び第２側壁１６Ａ，１６Ｂで囲まれた開口を塞ぐことができる。これにより、開放した端壁１２Ａ部分を再封緘でき、包装箱１０に収容したまま物品５４を保管できるため、利便性を向上できる。また、第２の姿勢では、第２部分４３の係止溝３９に第１部分４２の係止突起３８が係止される。よって、包装箱１０の再封緘状態を確実に維持できる。
【００４７】
なお、本発明の包装箱１０は、前記実施形態の構成に限定されず、種々の変更が可能である。
【００４８】
例えば、破断線２５は、端壁１２Ａ，１２Ｂ及び内フラップ１７Ａ〜１８Ｂを破断できる構成であれば、片ジッパー、ジッパー、ミシン目状切断線等、いずれでも適用できる。また、補助線４６〜４９は、端壁１２Ａ，１２Ｂ及び内フラップ１７Ａ〜１８Ｂを折り曲げることができる構成であれば、どのような構成であってもよい。また、包装箱１０は、第２補助線４７及び第４補助線４９が無い構成としてもよい。また、第３補助線４８も無い構成としてもよい。
【００４９】
また、破断線２５は、端壁１２Ａ，１２Ｂのうち一方と、この一方の端壁１２Ａ，１２Ｂに連続する内フラップ１７Ａ〜１８Ｂだけに設けてもよい。また、包装箱１０は、樹脂製の段ボールシートを打ち抜いて形成してもよし、単一の厚紙や樹脂シートにより形成してもよい。また、包装箱は、端壁と第１側壁の間に面取壁を有する平面視八角形状としてもよいし、４以上の平面視多角形状であればよい。また、包装箱は、端壁を一方だけに設け、他方は別体の閉塞部材で閉塞してもよい。
【符号の説明】
【００５０】
１０…包装箱
１２Ａ，１２Ｂ…端壁
１３Ａ，１３Ｂ…第１側壁
１４…固着壁
１５…第１折曲線
１６Ａ，１６Ｂ…第２側壁
１７Ａ，１７Ｂ…上側内フラップ
１８Ａ，１８Ｂ…下側内フラップ
１９…第２折曲線
２０Ａ，２０Ｂ…上側外フラップ
２１Ａ，２１Ｂ…下側外フラップ
２２…第３折曲線
２５…破断線
２５ａ…第１破断線部分
２５ｂ…第２破断線部分
２７…破断部
２８…差込部
２９…折曲線
３０…第１切断線
３１…第２切断線
３３…第１破断部
３４，３４ａ…第１切断線
３５，３５ａ…第２切断線
３６…第２破断部
３８…係止突起
３９…係止溝
４２…第１部分
４３…第２部分
４５…折曲線
４６…第１補助線
４７…第２補助線
４８…第３補助線
４９…第４補助線
５２…粘着テープ
５４…物品
【図１】
0006676444.tif 000002
【図２】
0006676444.tif 000003
【図３Ａ】
0006676444.tif 000004
【図３Ｂ】
0006676444.tif 000005
【図４】
0006676444.tif 000006
【図５】
0006676444.tif 000007
【図６】
0006676444.tif 000008
【図７Ａ】
0006676444.tif 000009
【図７Ｂ】
0006676444.tif 000010